(57)【要約】【課題】  ドロップ光ファイバー通信線が鉤部先端の嵌合溝に掛止し、切断する恐れがあり、細心の注意を払って行っているので操作性の低下をきたすものである。【解決手段】  上方に掛止空間１を有した鉤部２を設け、下方に環部３を備えたフック本体４を形成し、該フック本体４に枢設された開閉キャップ５と、該開閉キャップ５に連結して本体背面側に突設された吊環部７を備えた連結バー６を設け、該フック本体４の背面側上部に摺動材41、下部には係止ピン42を設け、連結バー６の上下方回動を制限した高所掛止用フック金具であり、開閉キャップ５と連結バー６を回動自在に連結する連結軸62が、掛止空間１を閉鎖時に嵌合する鉤部２先端部の嵌合溝21の近傍にガイド部材８を設け、該ガイド部材８外面81を鉤部２先端の内側面22と同等か若しくは突出する位置に配置し、嵌合溝21に細径の通信線が嵌入しない構造である。【選択図】        図１
2006305056.tif 000002
【特許請求の範囲】
【請求項１】
上方に支持線，通信線等に掛止可能な掛止空間１を有した鉤部２を設け、下方に巻取式命綱９，ロープ等を連結可能な環部３を備えたフック本体４を形成し、該フック本体４に前記掛止空間１を開閉可能に枢設51された開閉キャップ５と、該開閉キャップ５に連結して本体背面側に突設された吊環部７を備えた連結バー６を設け、該フック本体４の背面側上部には連結バー６の上方回動を制限し、かつ該連結バー６を摺動させる摺動材41を設け、同じく下部には、開閉キャップ５をフック本体４の掛止空間１を閉鎖状態に固定する連結バー６の掛止部61と当接し、下方向への回動を制限する係止ピン42を設けた高所掛止用フック金具であり、開閉キャップ５と連結バー６を回動自在に連結する連結軸62が、掛止空間１を閉鎖時に嵌合する鉤部２先端部の嵌合溝21の近傍にガイド部材８を設け、該ガイド部材８外面81を鉤部２先端の内側面22と同等か若しくは突出する位置に配置し、嵌合溝21に細径の通信線が嵌入しない構造を特徴とする高所掛止用フック金具。
【発明の詳細な説明】
【技術分野】
【０００１】
本願は、高所作業者が墜落防止のために設置する墜落防止器具に設ける高所掛止用フック金具に関するものである。
【背景技術】
【０００２】
以前より高所掛止用フック金具としては、特公平５−８０２７号公報で開示したものがある。
これは、地上よりの操作により、簡単に墜落防止用ロープを設置することができるため、市場に受け入れられ各通信線工事時に使用されているものである。
【０００３】
しかしながら、最近のＩＴ化により通信線も複雑になって来ているのが現状である。
つまり、既設のメタル通信線１本だけではなく、回線が増えることによる増設、また光ファイバー通信線の新設により、電柱付近は、非常に複雑になっている。
また、光ファイバー通信線から各家庭に配線する細径のドロップ光ファイバー通信線を既設のメタル通信線に添わして設置している。
よって、最近では、らせん状ハンガーを用いて既設の支持線、メタル通信線、増設メタル通信線、光ファイバー通信線、ドロップ光ファイバー通信線を一束にしている。
【特許文献１】特公平５−８０２７号公報
【発明の開示】
【発明が解決しようとする課題】
【０００４】
高所掛止用フック金具を支持線、メタル通信線に掛止して使用するのであるが、従来の掛止対象の支持線・メタル通信線は太いものであったため、高所掛止用フック金具の鉤部先端の嵌合溝に引っ掛けることがなかった。
ところが、最近、らせん状ハンガーＲによってメタル通信線や光ファイバー通信線等が一束化され、その中の細径のドロップ光ファイバー通信線が、取付け取り外し時に高所掛止用フック金具の鉤部先端の嵌合溝に引っかかり切断する恐れがあり、細心の注意を払って行うので操作性が低下するものである。
【課題を解決するための手段】
【０００５】
よって本願では、高所掛止用フック金具の鉤部２先端部にガイド部材８を設け、鉤部２の嵌合溝21に引っ掛けないようにしたものである。
具体的には、開閉キャップ５と連結バー６を回動自在に連結する連結軸62が、掛止空間１を閉鎖時に嵌合する鉤部２先端部の嵌合溝21の近傍にガイド部材８を設け、該ガイド部材８の外面81を鉤部２先端の内側面22と同等か若しくは突出する位置に配置し、嵌合溝21に細径の通信線が嵌入しない構造である。
【発明の効果】
【０００６】
以上のように本願は、ガイド部材８を設けることにより、ドロップ光ファイバー通信線Ｄを引っ掛けることがなく、操作性の向上となる。
また、高所掛止用フック金具を吊り上げた場合、ガイド部材８がメタル通信線Ｃと接触し、フック金具がメタル通信線Ｃと直角に位置するので、開放距離が一番広い部分で取り外しを行うことができる。
【実施例】
【０００７】
本願の実施例を詳記すると、
上方にらせん状ハンガーＲによって一束化された支持線，メタル通信線Ｃ等を掛止可能な掛止空間１を有した鉤部２を設け、下方に巻取式命綱９，ロープ等を連結可能な環部３を備えたフック本体４を形成し、該フック本体４に前記掛止空間１を開閉可能に枢設された開閉キャップ５と、該開閉キャップ５に連結して本体背面側に突設された吊環部７を備えた連結バー６を設け、該フック本体４の背面側上部には連結バー６の上方回動を制限し、かつ該連結バー６を摺動させる摺動材41を設け、同じく下部には、開閉キャップ５をフック本体４の掛止空間１を閉鎖状態に固定する連結バー６の掛止部61と当接し、下方向への回動を制限する係止ピン42を設けた高所掛止用フック金具であり、開閉キャップ５と連結バー６を回動自在に連結する連結軸62が、掛止空間１を閉鎖時に嵌合する鉤部２先端部の嵌合溝21の近傍にガイド部材８を設け、該ガイド部材８外面81を鉤部２先端の内側面22と同等か若しくは突出する位置に配置し、嵌合溝21にドロップ光ファイバー通信線Ｄのような細径の通信線が嵌入しない構造を有している。
【０００８】
ガイド部材８は、図３，４に示すように、鋼板を用いて樹脂コーティングを施したものであり、鉤部先端部に左右対称に設け、リベット止めしたものである。
なお、図面では、ガイド部材８を鋼板により形成しているが、丸棒鋼のものでもよく、ガイド部材８の外面81が鉤部２先端の内側面22と同等か若しくは突出する位置に配置するものであればよい。
【０００９】
本願高所掛止用フック金具の使用方法の一例を説明する。
下部の環部３に巻取式命綱９を設けた図６，７の場合は、命綱先端のフックＨを電柱下部（根本）に取付けるか、作業者が装着している安全帯のリングに掛止しておき、フック本体４の吊環部７に伸縮竿Ｓ先端金具を掛け、伸縮竿Ｓを伸ばしていき、一束化されたメタル通信線Ｃ，ドロップ光ファイバー通信線Ｄに鉤部２を掛止し、吊環部７より伸縮竿Ｓ先端金具を外せば開閉キャップ５はバネにより鉤部２先端部に回動し、掛止空間１を閉鎖すると共に、連結バー６の掛止部61が係止ピン42に掛止し、開閉キャップ５の不用意な回動を阻止するものである。
その後、伸縮竿Ｓを縮めて収納し、作業者は電柱の作業位置まで昇っていくものである。その時、万が一にもステップボルトより手足を滑らさせて落下しても巻取式命綱９の細幅織ベルトが急激に引っ張られることによりドラムが回転し、内蔵した係止爪が遠心力によって回動し、係止歯に係止してドラムの回転を阻止し、最小限の落下距離で停止するものである。
取り外しは、地上に降りた作業者が、再び伸縮竿Ｓを伸ばしていき吊環部７に伸縮竿Ｓ先端金具を掛止し、吊り上げることにより開閉キャップ５を回動し、掛止空間１を開放することができ、一束化されたメタル通信線Ｃ，ドロップ光ファイバー通信線Ｄより容易に取り外すことができる。そして伸縮竿Ｓを縮めて撤収完了となるものである。
【００１０】
下部の環部３に親ロープを直接設けた場合は、フック本体４の吊環部７に伸縮竿Ｓ先端金具を掛け、伸縮竿Ｓを伸ばしていき、一束化されたメタル通信線Ｃ，ドロップ光ファイバー通信線Ｄに鉤部２を掛止し、吊環部７より伸縮竿Ｓ先端金具を外せば開閉キャップ５はバネにより鉤部２先端部に回動し、掛止空間１を閉鎖すると共に、連結バー６の掛止部61が係止ピン42に掛止し、開閉キャップ５の不用意な回動を阻止するものである。
その後、伸縮竿Ｓを縮めて収納し、作業者は電柱下部に親ロープ下端部を取り付けると共に、ロープ把持金具を取付け、ロープ把持金具の子綱先端に設けたフックを作業者が装着する安全帯のリングに掛止して作業位置まで昇っていくものである。その時、万が一にもステップボルトより手足を滑らさせて落下してもロープ把持金具により親ロープを掴持して墜落を防止するものである。
取り外しは、前記のように再び伸縮竿Ｓを伸ばしていき吊環部７に伸縮竿Ｓ先端金具を掛止し、吊り上げることにより開閉キャップ５を回動し、掛止空間１を開放することができ、一束化されたメタル通信線Ｃ，ドロップ光ファイバー通信線Ｄより容易に取り外すことができる。そして伸縮竿Ｓを縮めて撤収完了となるものである。
【図面の簡単な説明】
【００１１】
【図１】本願高所掛止用フック金具の正面図。
【図２】本願高所掛止用フック金具の左側面図。
【図３】本願高所掛止用フック金具の鉤部先端部の正面図。
【図４】本願高所掛止用フック金具の鉤部先端部の右側面図。
【図５】本願高所掛止用フック金具の吊上状態正面図。
【図６】本願高所掛止用フック金具の取付状態正面図。
【図７】本願高所掛止用フック金具の取付状態右側面図。
【符号の説明】
【００１２】
１  掛止空間
２  鉤部
３  環部
４  フック本体
５  開閉キャップ
６  連結バー
７  吊環部
８  ガイド部材
９  巻取式命綱
21  嵌合溝
22  内側面
41  摺動材
42  係止ピン
51  枢設
61  掛止部
62  連結軸
81  外面
Ｃ  メタル通信線
Ｄ  ドロップ光ファイバー通信線
Ｈ  フック
Ｒ  らせん状ハンガー
Ｓ  伸縮竿
【図１】
2006305056.tif 000003
【図２】
2006305056.tif 000004
【図３】
2006305056.tif 000005
【図４】
2006305056.tif 000006
【図５】
2006305056.tif 000007
【図６】
2006305056.tif 000008
【図７】
2006305056.tif 000009